(57)【要約】【課題】車室内に表示手段と独立して操作部材が配置される場合であっても操作性の高い車載表示システムを提供する。【解決手段】車載表示システムにおいては、一つのメインコントローラで、複数の項目から一つを指定する場合に選択中の項目を確定する押圧操作（ステップＳ１５）の他に、選択中の項目を対象としたコマンドの項目を含むコマンドパネルを表示させる方向操作（ステップＳ１８）が可能である。これにより、項目を対象としたコマンドの指示を容易に行うことができる。このため、車室内にディスプレイとは独立して操作部が配置される場合においても、操作性を高くすることができる。【選択図】図１６
2011111061.tif 000002
【特許請求の範囲】
【請求項１】
車両に搭載され、ユーザに情報を表示する車載表示システムであって、
指定候補となる複数の項目を表示する表示手段と、
前記表示手段と独立して配置され、少なくとも３種類のユーザ操作が可能な操作手段と、
前記表示手段の表示内容と前記操作手段へのユーザ操作とに基づいて、ユーザの指示を受け付ける受付手段と、
を備え、
前記指定候補となる複数の項目の一つをユーザに指定させる場合に、前記受付手段は、前記３種類のユーザ操作のうち、
第１操作を、項目の選択指示、
第２操作を、選択中の項目の確定指示、
第３操作を、選択中の項目を対象としたコマンドの表示指示、
としてそれぞれ受け付け、
前記第３操作がなされた場合は、
前記表示手段は、前記コマンドの複数の項目を表示し、
前記受付手段は、前記コマンドの複数の項目のうちから前記第１及び第２操作により指定された項目の前記コマンドを受け付けることを特徴とする車載表示システム。
【請求項２】
請求項１に記載の車載表示システムにおいて、
前記３種類のユーザ操作は、回転操作、押圧操作及び方向操作であることを特徴とする車載表示システム。
【請求項３】
請求項２に記載の車載表示システムにおいて、
前記第１操作は、回転操作であり、
前記第２操作は、押圧操作であり、
前記第３操作は、方向操作であることを特徴とする車載表示システム。
【請求項４】
請求項３に記載の車載表示システムにおいて、
前記コマンドの複数の項目は、
前記表示手段の画面の一方向から画面内に移動するアニメーション表現で表示され、
前記一方向への前記操作手段の方向操作により表示が解除されることを特徴とする車載表示システム。
【請求項５】
請求項２ないし４のいずれかに記載の車載表示システムにおいて、
前記操作手段は、前記回転操作、前記押圧操作及び前記方向操作のすべてが可能な一つの操作部材を含むことを特徴とする車載表示システム。
【請求項６】
請求項２ないし５のいずれかに記載の車載表示システムにおいて、
前記操作手段へのユーザの接触を検知する検知手段、
をさらに備え、
前記検知手段がユーザの接触を検知し、かつ、前記操作手段の操作が無い状態が所定時間以上継続した場合は、前記表示手段はその時点で可能な操作を案内する操作ガイドを表示することを特徴とする車載表示システム。
【請求項７】
請求項６に記載の車載表示システムにおいて、
前記コマンドの周辺枠と前記操作ガイドの周辺枠との形状が異なることを特徴とする車載表示システム。
【請求項８】
車両に搭載され、ユーザに情報を表示する車載表示システムであって、
情報を表示する表示手段と、
前記表示手段と独立して配置され、回転操作、押圧操作及び方向操作の３種類のユーザ操作が可能な操作手段と、
前記表示手段の表示内容と前記操作手段へのユーザ操作とに基づいて、ユーザの指示を受け付ける受付手段と、
前記操作手段へのユーザの接触を検知する検知手段と、
を備え、
前記検知手段がユーザの接触を検知し、かつ、前記操作手段の操作が無い状態が所定時間以上継続した場合は、前記表示手段はその時点で可能な操作を案内する操作ガイドを表示することを特徴とする車載表示システム。
【発明の詳細な説明】
【技術分野】
【０００１】
本発明は、車両に搭載され、ユーザに情報を表示する車載表示システムに関する。
【背景技術】
【０００２】
従来より、自動車などの車両に搭載され、ユーザ（代表的にはドライバ）に各種情報を表示するナビゲーション装置などの車載表示システムが知られている。
【０００３】
このような車載表示システムにおいては、操作ができる期間が車両の停止中などの比較的短い期間となることが多いため、直感的かつ迅速に目的とする指示ができることが要求される。このため、近年の車載表示システムでは、ディスプレイの画面に表示されたコマンドボタンに触れることで各種の指示を行うことができるタッチパネル方式が採用されることが一般的である（例えば、特許文献１参照。）。
【先行技術文献】
【特許文献】
【０００４】
【特許文献１】特開２００１−２２２２７１号公報
【発明の概要】
【発明が解決しようとする課題】
【０００５】
ところで、上記のようなタッチパネル方式を採用する場合、ユーザの手が届く位置にディスプレイを配置することが必要となる。このため、ディスプレイの配置に関して制約があり、より好ましい位置にディスプレイを配置できなくなる場合がある。
【０００６】
例えば、ディスプレイの確認に関して運転中のドライバの視線の移動量を少なくするには、フロントガラスに隣接したインストルメントパネルの前方の左右中央にディスプレイを配置することが望ましい。ただし、インストルメントパネルの前方位置にユーザの手は届かないため、タッチパネル方式を採用した場合にはこの位置にディスプレイを配置できない。
【０００７】
このようにタッチパネル方式を採用するとディスプレイの配置に関して制約が発生することから、ディスプレイと操作部材とを独立して設け、視認しやすい位置にディスプレイを配置するとともに、操作しやすい位置に操作部材を配置することが提案されている。しかしながら、このような場合は、タッチパネル方式によらずに、操作部材のみの操作で、直感的かつ迅速に目的とする指示ができるようにする必要がある。
【０００８】
本発明は、上記課題に鑑みてなされたものであり、車室内に表示手段と独立して操作部材が配置される場合であっても操作性の高い車載表示システムを提供することを目的とする。
【課題を解決するための手段】
【０００９】
上記課題を解決するため、請求項１の発明は、車両に搭載され、ユーザに情報を表示する車載表示システムであって、指定候補となる複数の項目を表示する表示手段と、前記表示手段と独立して配置され、少なくとも３種類のユーザ操作が可能な操作手段と、前記表示手段の表示内容と前記操作手段へのユーザ操作とに基づいて、ユーザの指示を受け付ける受付手段と、を備え、前記指定候補となる複数の項目の一つをユーザに指定させる場合に、前記受付手段は、前記３種類のユーザ操作のうち、第１操作を、項目の選択指示、第２操作を、選択中の項目の確定指示、第３操作を、選択中の項目を対象としたコマンドの表示指示、としてそれぞれ受け付け、前記第３操作がなされた場合は、前記表示手段は、前記コマンドの複数の項目を表示し、前記受付手段は、前記コマンドの複数の項目のうちから前記第１及び第２操作により指定された項目の前記コマンドを受け付ける。
【００１０】
また、請求項２の発明は、請求項１に記載の車載表示システムにおいて、前記３種類のユーザ操作は、回転操作、押圧操作及び方向操作である。
【００１１】
また、請求項３の発明は、請求項２に記載の車載表示システムにおいて、前記第１操作は、回転操作であり、前記第２操作は、押圧操作であり、前記第３操作は、方向操作である。
【００１２】
また、請求項４の発明は、請求項３に記載の車載表示システムにおいて、前記コマンドの複数の項目は、前記表示手段の画面の一方向から画面内に移動するアニメーション表現で表示され、前記一方向への前記操作手段の方向操作により表示が解除される。
【００１３】
また、請求項５の発明は、請求項２ないし４のいずれかに記載の車載表示システムにおいて、前記操作手段は、前記回転操作、前記押圧操作及び前記方向操作のすべてが可能な一つの操作部材を含む。
【００１４】
また、請求項６の発明は、請求項２ないし５のいずれかに記載の車載表示システムにおいて、前記操作手段へのユーザの接触を検知する検知手段、をさらに備え、前記検知手段がユーザの接触を検知し、かつ、前記操作手段の操作が無い状態が所定時間以上継続した場合は、前記表示手段はその時点で可能な操作を案内する操作ガイドを表示する。
【００１５】
また、請求項７の発明は、請求項６に記載の車載表示システムにおいて、前記コマンドの周辺枠と前記操作ガイドの周辺枠との形状が異なる。
【００１６】
また、請求項８の発明は、車両に搭載され、ユーザに情報を表示する車載表示システムであって、情報を表示する表示手段と、前記表示手段と独立して配置され、回転操作、押圧操作及び方向操作の３種類のユーザ操作が可能な操作手段と、前記表示手段の表示内容と前記操作手段へのユーザ操作とに基づいて、ユーザの指示を受け付ける受付手段と、前記操作手段へのユーザの接触を検知する検知手段と、を備え、前記検知手段がユーザの接触を検知し、かつ、前記操作手段の操作が無い状態が所定時間以上継続した場合は、前記表示手段はその時点で可能な操作を案内する操作ガイドを表示する。
【発明の効果】
【００１７】
請求項１ないし７の発明によれば、複数の項目から一つを指定する際に選択中の項目を確定する操作の他に、選択中の項目を対象としたコマンドの項目を表示させる操作が可能である。これにより、項目を対象としたコマンドの指示を容易に行うことができる。このため、車室内に表示手段とは独立して操作部材が配置される場合であっても、操作性を高くすることができる。
【００１８】
また、特に請求項２の発明によれば、回転操作、押圧操作及び方向操作の３種類の操作によって、ユーザは直感的に操作を行うことができ、操作性を高くすることができる。
【００１９】
また、特に請求項３の発明によれば、回転操作が項目の選択指示に割り当てられ、押圧操作が選択中の項目の確定指示に割り当てられ、方向操作が選択中の項目を対象としたコマンドの表示指示に割り当てられる。これにより、各操作に割り当てられる指示がユーザの感覚に合致し、ユーザは直感的に操作を行うことができる。
【００２０】
また、特に請求項４の発明によれば、コマンドの項目を表示させる場合に画面の一方向から移動するアニメーション表現で表示するため、その表示を解除する場合の操作を直感的に把握できる。
【００２１】
また、特に請求項５の発明によれば、回転操作、押圧操作及び方向操作が可能である一つの操作部材を採用する場合において、操作性を高くすることができる。
【００２２】
また、特に請求項６の発明によれば、検知手段がユーザの接触を検知し、かつ、操作手段の操作が無い状態が所定時間以上継続した場合は操作ガイドを表示する。このため、操作手段の操作が不慣れなユーザに対して操作ガイドを表示できるため、目的の操作を容易に把握でき、操作性を高くすることができる。一方で、ユーザの接触の検知から所定時間が経過するまでは操作ガイドを表示しないため、操作に慣れたユーザには操作ガイドが表示されず、操作に慣れたユーザがわずらわしさを感じることが無い。
【００２３】
また、特に請求項７の発明によれば、コマンドの周辺枠と操作ガイドの周辺枠と形状が異なるため、ユーザはコマンドが表示されているのか、操作ガイドが表示されているのかを直感的に把握できる。
【００２４】
また、請求項８の発明によれば、検知手段がユーザの接触を検知し、かつ、操作手段の操作が無い状態が所定時間以上継続した場合は操作ガイドを表示する。このため、操作手段の操作が不慣れなユーザに対して操作ガイドを表示できるため、目的の操作を容易に把握でき、操作性を高くすることができる。一方で、ユーザの接触の検知から所定時間が経過するまでは操作ガイドを表示しないため、操作に慣れたユーザには操作ガイドが表示されず、操作に慣れたユーザがわずらわしさを感じることが無い。
【図面の簡単な説明】
【００２５】
【図１】図１は、車載表示システムの構成の概要を示すブロック図である。
【図２】図２は、ディスプレイ及び操作部の車室内における配置例を示す図である。
【図３】図３は、メインコントローラの外観を示す斜視図である。
【図４】図４は、メインコントローラの断面図である。
【図５】図５は、音声データが整理される階層構造の概要を示す図である。
【図６】図６は、大属性層の項目を指定する場合のディスプレイの画面の表示例を示す図である。
【図７】図７は、大属性層の項目を指定する場合のディスプレイの画面の表示例を示す図である。
【図８】図８は、小属性層の項目を指定する場合のディスプレイの画面の表示例を示す図である。
【図９】図９は、小属性層の項目を指定する場合のディスプレイの画面の表示例を示す図である。
【図１０】図１０は、曲名層の項目を指定する場合のディスプレイの画面の表示例を示す図である。
【図１１】図１１は、ディスプレイに編集パネルが表示された様子を示す図である。
【図１２】図１２は、ディスプレイに編集パネルが表示された様子を示す図である。
【図１３】図１３は、編集パネルに係るアニメーション表現の例を示す図である。
【図１４】図１４は、ディスプレイに操作パネルが表示された様子を示す図である。
【図１５】図１５は、ディスプレイにソースパネルが表示された様子を示す図である。
【図１６】図１６は、ユーザ操作に基づいてユーザの指示を受け付ける流れを示す図である。
【図１７】図１７は、ディスプレイに操作ガイドが表示された様子を示す図である。
【図１８】図１８は、ディスプレイに操作ガイドが表示された様子を示す図である。
【図１９】図１９は、操作ガイドを表示するための処理の流れを示す図である。
【図２０】図２０は、ナビゲーションモードにおいてディスプレイに地図画像が表示された様子を示す図である。
【図２１】図２１は、ディスプレイに縮尺変更パネルが表示された様子を示す図である。
【図２２】図２２は、ディスプレイにメニューパネルが表示された様子を示す図である。
【図２３】図２３は、ナビゲーションモードにおいてディスプレイに操作ガイドが表示された様子を示す図である。
【図２４】図２４は、ステアリングホイールに操作部を設けた様子を示す図である。
【発明を実施するための形態】
【００２６】
以下、図面を参照しつつ本発明の実施の形態について説明する。
【００２７】
＜１．構成＞
図１は、本実施の形態の車載表示システム１００の構成の概要を示すブロック図である。この車載表示システム１００は、車両（本実施の形態では、自動車）に搭載されるものであり、車室内のドライバなどのユーザに対して各種の情報を表示するものである。車載表示システム１００は、主な機能としてオーディオ機能とナビゲーション機能とを有しており、オーディオ機能で再生する曲名などの情報や、ナビゲーション用の地図画像などを表示可能となっている。
【００２８】
図１に示すように、車載表示システム１００は、各種処理を行う本体部１０と、各種情報を表示するディスプレイ３と、各種音声を出力するスピーカ４と、ユーザが操作を行う操作部５とを備えて構成される。
【００２９】
本体部１０は、ＥＣＵ（Electronic Control Unit）として構成され、車室内から見えない車両の所定の位置に配置される。本体部１０は、装置全体を制御する制御部１と、放送信号を受信する放送受信部２１と、ディスクを再生するディスク再生部２２と、デジタル形式の音声データを再生するデータ再生部２３と、ナビゲーション機能を提供するナビゲーション部２４と、外部装置８からの信号を入力する外部入力部２５とを備えている。なお、この説明において「音声データ」は、音楽データを含む。
【００３０】
放送受信部２１は、ＡＭ、ＦＭ等のラジオ放送や地上デジタルテレビ放送などの放送信号を受信して、放送信号に基づく音声信号や映像信号を取得する。放送受信部２１で取得された音声信号はスピーカ４から出力され、映像信号はディスプレイ３に表示される。
【００３１】
ディスク再生部２２は、ＣＤ、ＤＶＤ及びＢＤなどのディスクメディアの記録内容を読み取って、音声信号や映像信号を取得する。ディスク再生部２２で取得された音声信号はスピーカ４から出力され、映像信号はディスプレイ３に表示される。
【００３２】
データ再生部２３は、ハードディスクを備えており、ハードディスクに予め記憶されたＭＰ３などのデジタル形式の音声データを読み取ってデコードし、再生可能な音声信号を取得する。ディスク再生部２２で取得された音声信号はスピーカ４から出力される。
【００３３】
ナビゲーション部２４は、車両の現在位置に応じた地図画像をディスプレイ３に表示させるとともに、目的地が設定された場合は目的地までのルート案内を行う。ナビゲーション部２４はＧＰＳを備えており、ＧＰＳで車両の現在位置を取得する。ルートを含む地図画像はディスプレイ３に表示され、ルート案内用の音声はスピーカ４から出力される。
【００３４】
外部入力部２５は、車載表示システム１００の外部装置８（例えば、ユーザが所持している携帯型音楽プレーヤーなど）から音声信号を入力して、制御部１に出力する。これにより、外部装置８からの音声信号が、車両のスピーカ４から出力される。
【００３５】
また、制御部１は、ＣＰＵ、ＲＡＭ及びＲＯＭなどを備えたコンピュータとして構成され、予めＲＯＭなどに記憶されたファームウェアとしてのプログラムに従ってＣＰＵが演算処理を行うことで各種の制御機能が実現される。図中に示す、表示制御部１１及び指示受付部１２は、このようにして実現される制御部１の機能のうちの一部を示している。
【００３６】
表示制御部１１は、ディスプレイ３の表示に係る制御を行うものである。また、指示受付部１２は、操作部５への操作に基づいてユーザの指示を受け付け、ユーザの指示通りに動作するように装置全体を制御する。
【００３７】
本実施の形態のディスプレイ３は、タッチパネル機能は有していない。ユーザが車載表示システム１００に対して各種の指示を行う場合には、ディスプレイ３に表示された操作用の画面を確認しながら、操作部５を操作することになる。したがって、指示受付部１２は、表示制御部１１から入力されるディスプレイ３の表示内容と、操作部５へのユーザ操作とに基づいてユーザの指示を判断する。
【００３８】
ディスプレイ３、スピーカ４及び操作部５は、このような本体部１０と電気的に接続される。これにより、ディスプレイ３及びスピーカ４は制御部１の制御下で動作するとともに、操作部５へのユーザの操作内容は信号として制御部１に入力される。
【００３９】
操作部５は、メインコントローラ５０と、モード切替ボタン５９とを含んでいる。メインコントローラ５０は、車載表示システム１００に各種の指示を行う際に、ユーザが主に操作するものである。一方、モード切替ボタン５９は、車載表示システム１００の動作モードを切り替えるためのボタンである。車載表示システム１００の動作モードとしては、オーディオ機能に関連する指示を行うためのオーディオモードと、ナビゲーション機能に関連する指示を行うためのナビゲーションモードとがあり、モード切替ボタン５９の押下によってこれらを切替可能となっている。
【００４０】
ディスプレイ３、スピーカ４及び操作部５は、本体部１０とは独立して、車室内におけるそれぞれに適した位置に配置される。図２は、ディスプレイ３、スピーカ４及び操作部５の車室内における配置の一例を示す図である。図に示すように、ディスプレイ３は、視認するドライバの視線の移動量が少なくなるように、フロントガラス９０に隣接したインストルメントパネル９１の前方の左右中央に配置される。また、スピーカ４は、ディスプレイ３に近接して、インストルメントパネル９１の左右中央に配置される。
【００４１】
また、操作部５は、車両のセンターコンソール９３においてシフトレバー９４に近接して配置される。メインコントローラ５０はシフトレバー９４よりも後方に配置され、メインコントローラ５０の周辺にモード切替ボタン５９が設けられる。本実施の形態の車両は右ハンドル車であるため、ドライバは運転中に、ステアリングホイール９２を操作しながら、必要に応じて左手でシフトレバー９４を操作することになる。操作部５は、このシフトレバー９４に近接して配置されるため、ドライバはドライビングポジションのまま左手で操作部５を操作することが可能である。
【００４２】
操作部５のメインコントローラ５０は、左手の片手のみで回転操作、押圧操作（プッシュ操作）及び方向操作（スライド操作）のすべてが可能な一つの操作部材を備えて構成されている。
【００４３】
図３は、メインコントローラ５０の外観を示す斜視図である。図に示すように、メインコントローラ５０は、略円柱形状をしており、ユーザがその全体を片手で覆って把持できる程度の大きさとされている。
【００４４】
メインコントローラ５０は、図中の矢印ＡＲ１で示す方向に回転することが可能であり、この操作がなされると、回転操作を示す信号とその回転方向（左回転、及び、右回転）を示す信号とが制御部１に入力される。また、メインコントローラ５０は、図中の矢印ＡＲ２で示す方向にプッシュすることが可能であり、この操作がなされると押圧操作を示す信号が制御部１に入力される。さらに、メインコントローラ５０は、図中の矢印ＡＲ３で示す８方向にスライドすることが可能であり、この操作がなされると、方向操作を示す信号とそのスライドされた方向（向き）を示す信号とが制御部１に入力される。
【００４５】
図４は、図３のIV-IV位置におけるメインコントローラ５０の断面図である。図に示すように、メインコントローラ５０は、センターコンソール９３に埋め込まれるベース部５１と、ユーザが把持して操作する把持部５２と、ベース部５１及び把持部５２を物理的に接続する接続軸５３とを備えている。ユーザにより扱われる把持部５２の物理的な動き（回転、プッシュ、スライド）は、接続軸５３を介してベース部５１に伝達される。ベース部５１は、この伝達された物理的な動きを電気信号に変換して制御部１に出力する。
【００４６】
また、把持部５２の内側には、把持部５２の外周に沿ってタッチセンサ５４が配置されている。タッチセンサ５４は、メインコントローラ５０（より具体的には、把持部５２）へのユーザの接触を検出するものである。このタッチセンサ５４としては、ユーザの手が近接することで僅かに変化する静電容量に基づいてユーザの接触を検出する静電センサなどを採用することができる。
【００４７】
＜２．オーディオモード＞
＜２−１．階層構造＞
次に、オーディオモードについて説明する。車載表示システム１００においては、ハードディスク（ＨＤＤ）、ディスクメディア（ＤＩＳＣ）、放送（ＡＭ，ＦＭ，ＴＶ）、及び、外部入力（ＡＵＸ）の各種ソースの音声信号や映像信号を再生することが可能である。このため、ユーザは、再生対象とするソースを指定し、さらに、再生する曲や放送局を指定する必要がある。ハードディスクには多数の曲の音声データを記録可能であるため、特にハードディスクに記録された音声データを再生する場合には、多数の曲の音声データのうちから再生対象を指定する必要がある。
【００４８】
車載表示システム１００においては、これらの再生対象の候補である多数の曲の音声データが、各音声データの属性に基づいて階層構造に整理されている。これにより、多数の曲の音声データのうちから、所望の曲の音声データを容易に指定できるようになっている。
【００４９】
図５は、ハードディスクに記憶された音声データが整理される階層構造の概要を示す図である。図に示すように音声データは、大属性層、小属性層、曲名層と３つの階層によって整理されている。大属性層は、「アーティスト」、「アルバム」、「ジャンル」、「マイベスト」等の比較的大きな属性の項目からなる階層である。そして、小属性層は、その大属性層の下位の階層であり、大属性層に含まれる比較的小さな属性の項目からなる階層となる。具体的には、例えば、大属性層が「アーティスト」であれば、その下位の小属性層は「アーティストＡ」、「アーティストＢ」などのアーティスト名が項目となる。また、例えば、大属性層が「アルバム」であれば、その下位の小属性層は「アルバムＸ」、「アルバムＹ」などのアルバム名が項目となり、大属性層が「ジャンル」であれば、その下位の小属性層は「ロック」、「クラシック」などの音楽ジャンル名が項目となる。
【００５０】
曲名層は、小属性層のさらに下位の階層であり、それぞれが音声データに対応する曲名の項目からなる階層である。例えば、小属性層が「アーティストＡ」であれば、その下位の曲名層はそのアーティストＡの曲名が項目となる。また、例えば、小属性層が「アルバムＸ」であれば、その下位の曲名層はそのアルバムＸに含まれる曲名が項目となる。
【００５１】
ユーザは、メインコントローラ５０を操作して、このような階層構造の各階層で項目を指定することで、所望の属性の音楽データを再生対象に指定することが可能となる。以下では、このような各階層で項目を指定する操作について説明する。
【００５２】
＜２−２．項目指定操作＞
図６は、大属性層の項目を指定する場合におけるディスプレイ３の画面の表示例を示す図である。図に示すように、ディスプレイ３の画面は、左右方向に左側領域Ａ１、中央領域Ａ２及び右側領域Ａ３の３つの領域に分割され、領域同士は円弧状の仕切線によって区切られている。左側領域Ａ１には、指定されたソースが示される。この場合は、ソースとしてハードディスクが指定されているため、ハードディスクを示す「ＨＤＤ」が示されている。
【００５３】
また、中央領域Ａ２には、指定候補となる複数の項目が示される。この場合は、大属性層の項目を指定する場面であるため、「アーティスト」、「アルバム」、「ジャンル」、「マイベスト」等の大属性の項目が示される。中央領域Ａ２には、領域サイズの制約から指定候補となる複数の項目のうちの所定数（本実施の形態では最大で５つ）の項目のみが表示される。このため、メインコントローラ５０で回転操作を行えば、指定候補となる複数の項目のうち表示されていない項目を画面に表示させることができるようになっている。また、中央領域Ａ２の上下中央にはカーソルＣがあり、指定候補となる複数の項目のうち、上下中央に配置された一つの項目がカーソルＣによって選択される。メインコントローラ５０を回転操作することで項目が移動することから、回転操作により表示する項目に対してカーソルＣを相対的に移動でき、カーソルＣで選択する項目を変更できる。
【００５４】
具体的には、メインコントローラ５０で右回転を行うことで、各項目が上側に移動され、それまで表示されていなかった項目が最下位置に表示されるとともに、最上位置に表示されていた項目が非表示とされる。これにより、実質的に、カーソルＣが一つ下の項目に移動される。例えば、図６に示す状態で右回転を行えば、図７に示すように、図６で示されていた「アーティスト」、「アルバム」及び「ジャンル」の項目が上側に移動し、さらに、「マイベスト」の項目が新たに表示される状態となる。そして、図６に示す状態ではカーソルＣによって「アーティスト」の項目が選択されているが、図７に示す状態ではカーソルＣが「アルバム」の項目に移動されて、この「アルバム」の項目がカーソルＣによって選択される。逆に、メインコントローラ５０で左回転を行うことで各項目が下側に移動され、カーソルＣが一つ上の項目に移動されることになる。このようにメインコントローラ５０の回転操作は、項目の選択指示として指示受付部１２に受け付けられることになる。
【００５５】
また、右側領域Ａ１には、カーソルＣで選択中の項目の下位となる小属性層の項目が示される。このため、回転操作によってカーソルＣで選択する項目を変更すると、右側領域Ａ１に表示される項目も変更される。
【００５６】
また、メインコントローラ５０で押圧操作を行えば、カーソルＣで選択中の項目が確定される。すなわち、メインコントローラ５０の押圧操作は、選択中の項目の確定指示として指示受付部１２に受け付けられることになる。これにより、大属性層において指定候補となる複数の項目から一の項目が指定されることになる。項目が指定されると、次に、当該項目の下位の小属性層の項目を指定する画面となる。
【００５７】
図８は、小属性層の項目を指定する場合におけるディスプレイ３の画面の表示例を示す図である。図８は、大属性層において「アーティスト」が指定された場合（図６の状態で押圧操作がなされた場合）を例としている。
【００５８】
小属性層の項目を指定する場合においても、中央領域Ａ２には、指定候補となる複数の項目が示される。この場合は、「アーティスト」が指定された場合の小属性層の項目を指定する場面であるため、「アーティストＡ」、「アーティストＢ」などの複数のアーティスト名が項目として示される。
【００５９】
また、左側領域Ａ１には、一つ上位の層である大属性層において指定された項目が示される。この場合は、大属性層において指定された「アーティスト」が示される。また、右側領域Ａ３にはカーソルＣで選択中の項目の下位となる曲名層の項目が示される。
【００６０】
小属性層の項目を指定する場合においても、大属性層の場合と同様に、メインコントローラ５０で回転操作を行えば、中央領域Ａ２の表示する項目が変更される。これにより、表示する項目に対してカーソルＣが相対的に移動され、カーソルＣで選択する項目を変更できる。例えば、図８に示す状態でメインコントローラ５０で右回転を行えば、図９に示す状態となり、カーソルＣが「アーティストＡ」から「アーティストＢ」に移動される。
【００６１】
また、小属性層の項目を指定する場合には、指定候補となる複数の項目が循環的に配置され、表示の順番として先頭の項目に隣接して最後の項目が表示される。例えば、図８の例では、アーティスト名の項目の表示の順番において「アーティストＡ」が先頭の項目であり、「アーティストＺ」が最後の項目である。この場合に、「アーティストＡ」の上段に「アーティストＺ」が表示される。このため、図８に示す状態でメインコントローラ５０で左回転を行えば、最後の項目の「アーティストＺ」にカーソルＣを移動できる。このように、指定候補となる複数の項目が循環的に配置されることで、表示順番として後半となる項目に関しても、容易に選択することが可能である。
【００６２】
また、この場合も、メインコントローラ５０で押圧操作を行えば、カーソルＣで選択中の項目が確定される。これにより、小属性層において指定候補となる複数の項目から一の項目が指定される。項目が指定されると、次に、当該項目の下位の曲名層の項目を指定する画面となる。
【００６３】
図１０は、曲名層の項目を指定する場合におけるディスプレイ３の画面の表示例を示す図である。図１０は、小属性層において「アーティストＡ」が指定された場合（図８の状態で押圧操作がなされた場合）を例としている。
【００６４】
曲名層の項目を指定する場合においても、中央領域Ａ２には、指定候補となる複数の項目が示される。この場合は、「アーティストＡ」が指定された場合の曲名層の項目を指定する場面であるため、アーティストＡに係る複数の曲名が項目として示される。図の例では、中央領域Ａ２に、「ＡＢＣの歌」や「ＤＥＦの歌」などが項目として表示されている。この場合も、指定候補となる複数の項目が循環的に配置される。
【００６５】
また、左側領域Ａ１には、一つ上位の層である小属性層において指定された項目が示される。この場合は、小属性層において指定された「アーティストＡ」が示されている。また、右側領域Ａ３には、カーソルＣで選択中の項目の曲名に対応するジャケット写真Ｐが示される。
【００６６】
曲名層の項目を指定する場合においても、メインコントローラ５０で回転操作を行えば、中央領域Ａ２の表示する項目が変更される。これにより、表示する項目に対してカーソルＣが相対的に移動され、カーソルＣで選択する項目を変更できる。
【００６７】
また、この場合も、メインコントローラ５０で押圧操作を行えば、カーソルＣで選択中の項目が確定される。これにより、曲名層において指定候補となる複数の項目から一の項目が指定されることになる。項目が指定されると、当該項目の曲名の音楽データが再生される。すなわち、ハードディスクから音楽データが読み出されてデコードされ、それによって得られた音声信号がスピーカ４から出力されることになる。
【００６８】
ユーザは、以上のような操作を行うことで、膨大な曲の音声データから所望の一つの音声データを再生対象として指定し、指定した音声データを再生させることができることになる。メインコントローラ５０の回転操作で項目の選択ができ、メインコントローラ５０の押圧操作で選択中の項目の確定ができることから、直感的かつ迅速に項目を指定でき、高い操作性を実現できる。
【００６９】
ところで、上記では、音声データの再生は曲名層の項目の確定によって開始するようにしている。この場合は、前回の操作において指定された音声データが、項目の確定があるまで再生されるようにすればよい。これに対して、項目がカーソルＣで選択された時点で、当該項目に対応する音声データの再生を開始するようにしてもよい。このようにすると、回転操作を行った後に再生された音声を聞けばユーザが曲名を特定できるため、ユーザはディスプレイ３を注視しなくとも、所望の音声データを指定可能となる。
【００７０】
なお、この場合、回転操作を比較的高速に行った場合、複数の曲の冒頭部分のみが断続的に再生される可能性がある。このような再生があるとユーザが不快に感じることもあるため、項目がカーソルＣで選択されてから所定時間（例えば、１秒）経過してから、当該項目に対応する音声データの再生を開始するようにしてもよい。また、音声データの再生の開始タイミングを、項目の確定とするか、項目のカーソルＣの選択とするかをユーザが設定できるようになっていてもよい。
【００７１】
＜２−３．コマンド表示操作＞
上記では、階層構造に含まれる項目をユーザが指定する場合において、メインコントローラ５０の回転操作と押圧操作とで項目を指定していた。この場合において、メインコントローラ５０の右方向への方向操作を行うと、カーソルＣで選択中の項目を対象とした各種のコマンドが表示されるようになっている。
【００７２】
図１１は、曲名層の項目を指定する場合において、メインコントローラ５０の右方向への方向操作を行った場合に表示される画面を示す図である。
【００７３】
この場合においては、カーソルＣで選択中の項目が目立つように、当該項目以外の領域の輝度が低下される。これとともに、右側領域Ａ３において、カーソルＣで選択中の項目に対するコマンドを示す複数の項目を含むコマンドパネルＤ１が表示される。このコマンドパネルＤ１は「編集パネル」とも呼ばれる。
【００７４】
コマンドパネルＤ１の表示枠は円形状となっている。また、コマンドパネルＤ１の領域は中心から伸びる複数の線で略扇状の複数の項目領域に区分され、これにより、複数の項目領域が環状に配置されている。項目領域のそれぞれにはコマンドの項目が配置される。ここでいうコマンドとは、カーソルＣで選択中の曲名層の項目（この場合は、「ＡＢＣの歌」）の音声データに関して実行可能なユーザの指示である。図の例では、このコマンドの項目として、音声データを所定のリストに登録する「マイベスト登録」、音声データを削除する「削除」、音声データの曲名や属性などを編集する「編集」、及び、音声データに関する音質（イコライザ、左右前後バランスなど）を設定する「音設定」がある。
【００７５】
コマンドパネルＤ１に表示されたコマンドの項目は、上記の階層構造の項目の指定と同様の操作によって指定することができる。具体的には、メインコントローラ５０の回転操作によってカーソルＣ１を移動でき、メインコントローラ５０の押圧操作によってカーソルＣ１によって選択中の項目を確定できる。
【００７６】
メインコントローラ５０で右回転を行えばカーソルＣ１はコマンドパネルＤ１の右回転方向に隣接した項目に移動し、メインコントローラ５０で左回転を行えばカーソルＣ１はコマンドパネルＤ１の左回転方向に隣接した項目に移動する。例えば、図１１に示す状態でメインコントローラ５０で右回転を行えば、図１２に示す状態となり、カーソルＣ１が「マイベスト登録」から「削除」に移動することになる。
【００７７】
そして、メインコントローラ５０で押圧操作を行えばカーソルＣ１で選択中の項目が確定される。これにより、当該項目のコマンドが指示受付部１２に受け付けられて、制御部１により実行される。例えば、「削除」の項目がカーソルＣ１に選択された状態で押圧操作がなされた場合は、カーソルＣで選択中の項目に係る音声データがハードディスクから削除されることになる。
【００７８】
このようなコマンドパネルＤ１は、コマンドパネルＤ１を表示するための右方向への方向操作の逆の左方向への方向操作によって表示を解除することができる。この場合は、選択中の項目に対するコマンドがキャンセルされて、コマンドは実行されない。
【００７９】
前述のように、コマンドパネルＤ１は右方向への方向操作によって表示されるが、このコマンドパネルＤ１はディスプレイ３の画面の左方向から画面内へ移動するアニメーション表現で表示される。
【００８０】
図１３は、このアニメーション表現の例を示す図である。右方向への方向操作がなされると、コマンドパネルＤ１は、ディスプレイ３の画面の左端部から画面内へ進入する。その後、コマンドパネルＤ１は、方向操作の指示方向と同一の右方向へ画面内を移動して、右側領域Ａ３の所定位置まで移動すると停止する。この状態で、左方向への方向操作を行うと、コマンドパネルＤ１は、左方向へ画面内を移動して、さらに、ディスプレイ３の画面の左端部から画面外へ移動し、コマンドパネルＤ１の表示が解除される。
【００８１】
このように、コマンドパネルＤ１を左方向から画面内に侵入する表現を行うことで、左方向への方向操作を行えばコマンドパネルＤ１の表示を解除することができることを、ユーザが直感的に把握できることになる。
【００８２】
なお、上記では、曲名層の項目を指定する場合を例に説明を行ったが、大属性層や小属性層の項目を指定する場合であっても、カーソルＣで選択中の項目に対するコマンドを示す複数の項目を含むコマンドパネルを表示させるようにしてもよい。この場合は、例えば、項目の名称を編集する「編集」や、項目を削除する「削除」などがコマンドの項目として考えられる。
【００８３】
＜２−４．その他の方向操作＞
また、階層構造に含まれる項目をユーザが指定する場合において、メインコントローラ５０の上方向または下方向への方向操作を行うと、コマンドパネルＤ１とは別のコマンドパネルが表示される。
【００８４】
図１４は、メインコントローラ５０の上方向への方向操作を行った場合に表示される画面を示す図である。この場合においては、カーソルＣで選択中の項目を含む全領域の輝度が低下された上で、右側領域Ａ３にコマンドを示す複数の項目を含むコマンドパネルＤ２が表示される。
【００８５】
このコマンドパネルＤ２は「操作パネル」とも呼ばれるものであり、項目を指定することで音声データの再生に係る操作を行うことができるようになっている。コマンドパネルＤ２では、「再生」「早送り」「巻き戻し」「ランダム」「リピート」などの音声データの再生に係る操作コマンドが項目となっている。
【００８６】
このコマンドパネルＤ２においても、メインコントローラ５０の回転操作によってカーソルＣ２を移動でき、メインコントローラ５０の押圧操作によってカーソルＣ２によって選択中の項目を確定できる。項目が確定されると、当該項目のコマンドが指示受付部１２に受け付けられて、制御部１により実行される。
【００８７】
このコマンドパネルＤ２の表示の際には、コマンドパネルＤ２はディスプレイ３の画面の下方向から上方向へ画面内へ進入する。そして、表示するための上方向への方向操作の逆の下方向への方向操作によって表示を解除することができる。
【００８８】
図１５は、メインコントローラ５０の下方向への方向操作を行った場合に表示される画面を示す図である。この場合においては、カーソルＣで選択中の項目を含む全領域の輝度が低下された上で、右側領域Ａ３にコマンドを示す複数の項目を含むコマンドパネルＤ３が表示される。
【００８９】
このコマンドパネルＤ３は「ソースパネル」とも呼ばれるものであり、項目を指定することで再生対象とするソースを変更することができるようになっている。コマンドパネルＤ３では、「ＨＤＤ」「ＤＩＳＣ」「ＡＭ」「ＦＭ」「ＴＶ」などの切り替えるべきソースが項目となっている。
【００９０】
このコマンドパネルＤ３においても、メインコントローラ５０の回転操作によってカーソルＣ３を移動でき、メインコントローラ５０の押圧操作によってカーソルＣ３によって選択中の項目を確定できる。項目が確定されると、当該項目のソースに切り替える旨のコマンドが指示受付部１２に受け付けられて、制御部１により実行される。
【００９１】
このコマンドパネルＤ３の表示の際には、コマンドパネルＤ３はディスプレイ３の画面の上方向から下方向へ画面内へ進入する。そして、表示するための下方向への方向操作の逆の上方向への方向操作によって表示を解除することができる。
【００９２】
また、階層構造に含まれる項目をユーザが指定する場合において、メインコントローラ５０の左方向への方向操作を行うと、一つ上位の階層に移動できる。したがって、曲名層の項目を指定する状態で左方向への方向操作を行うと小属性層の項目を指定する状態に移行し、小属性層の項目を指定する状態で左方向への方向操作を行うと大属性層の項目を指定する状態に移行することになる。これにより一旦指定した上位の階層の項目を別の項目に変更することも可能である。
【００９３】
なお、この例では、メインコントローラ５０の上方向または下方向への方向操作を行った場合コマンドパネルを表示するようにしているが、メインコントローラ５０の上方向または下方向への方向操作によって一つ上位の階層の項目を別の項目に変更できるようになっていてもよい。
【００９４】
＜２−５．操作フロー＞
このように、階層構造に含まれる項目をユーザが指定する場合においては、一つのメインコントローラ５０のみで多様な指示を行うことが可能である。このような指示はメインコントローラ５０へのユーザ操作に基づいて指示受付部１２により判断され、その指示が指示受付部１２に受け付けられることになる。
【００９５】
図１６は、メインコントローラ５０へのユーザ操作に基づいてユーザの指示を受け付ける流れを示す図である。この処理は、階層構造の各階層で、指示受付部１２により実行されるものである。
【００９６】
この処理においては、メインコントローラ５０へのユーザ操作が、押下操作、回転操作、及び、方向操作のいずれかの操作が発生したかが判断される（ステップＳ１１，Ｓ１２，Ｓ１３）。そして、操作があった場合は、当該操作に応答したユーザの指示が実行される。
【００９７】
メインコントローラ５０の押下操作があった場合は（ステップＳ１１にてＹｅｓ）、その時点でカーソルＣで選択中の項目が確定され、処理が終了する。これにより、大属性層や小属性層の場合は当該項目の下位の階層に移動し、曲名層の場合は当該項目の音声データが再生される（ステップＳ１５）。
【００９８】
メインコントローラ５０の回転操作があった場合は（ステップＳ１２にてＹｅｓ）、その回転方向に応じて、指定候補となる複数の項目に対してカーソルＣが相対的に移動される。これにより、カーソルＣで選択する項目が変更される（ステップＳ１６）。
【００９９】
また、メインコントローラ５０の方向操作があった場合は（ステップＳ１３にてＹｅｓ）、続いて、その方向操作の指示方向が判断される（ステップＳ１４）。左方向の方向操作の場合は、一つ上位の階層に移動し（ステップＳ１７）、処理が終了する。
【０１００】
右方向の方向操作の場合は、編集パネルＤ１が表示される（ステップＳ１８）。編集パネルＤ１は、表示の解除指示がなされるか、いずれかのコマンドの項目が指定されるまで表示される。コマンドの項目が指定された場合は、指定されたコマンドが実行される。
【０１０１】
上方向の方向操作の場合は、操作パネルＤ２が表示される（ステップＳ１９）。操作パネルＤ２は、表示の解除指示がなされるか、いずれかのコマンドの項目が指定されるまで表示される。コマンドの項目が指定された場合は、指定されたコマンドが実行される。
【０１０２】
下方向の方向操作の場合は、ソースパネルＤ３が表示される（ステップＳ２０）。ソースパネルＤ２は、表示の解除指示がなされるか、いずれかのコマンドの項目が指定されるまで表示される。コマンドの項目が指定された場合は、指定されたコマンドが実行される。
【０１０３】
このように車載表示システム１００においては、複数の項目から一つを指定する場合に選択中の項目を確定する押圧操作の他に、選択中の項目を対象としたコマンドの項目を表示させる方向操作が可能である。これにより、項目を対象としたコマンドの指示を容易に行うことができる。このため、車室内にディスプレイ３とは独立して操作部５が配置される場合においても、操作性を高くすることができる。
【０１０４】
また、回転操作が項目の選択指示に割り当てられ、押圧操作が選択中の項目の確定指示に割り当てられ、方向操作が選択中の項目を対象としたコマンドの表示指示に割り当てられる。これにより、各操作に割り当てられる指示がユーザの感覚に合致し、ユーザは直感的に操作を行うことができる。
【０１０５】
＜２−６．操作ガイドの表示＞
以上説明したように、車載表示システム１００においては、一つのメインコントローラ５０のみで多様な指示を行うことが可能である。このことから、操作に慣れたユーザの場合には、高い操作性を享受できる。一方で、操作に慣れないユーザの場合は、多様な指示ができることが逆に混乱を招く可能性がある。
【０１０６】
これに対応するため、操作に慣れないユーザのために、その時点で可能な操作を案内する操作ガイドがディスプレイ３に表示される。このような操作ガイドは、表示制御部１１の制御により表示される。
【０１０７】
図１７は、大属性層の項目を指定する場合において、操作ガイドＧ１が表示された画面の例を示す図である。
【０１０８】
操作ガイドＧ１は、右側領域Ａ３に表示されている内容に重畳して表示される。操作ガイドＧ１には、メインコントローラ５０の回転操作、押圧操作、及び、方向操作の４方向への操作のそれぞれの指示内容を説明する説明文が示されている。例えば、押圧操作に関しては「確定／下階層へ」と表示されており、ユーザは、この表示を視認することで、押圧操作を行えばカーソルＣで選択中の項目を確定してその項目の下位の階層へ移動できることを容易に把握できることになる。
【０１０９】
操作ガイドＧ１の説明文が示される領域は半透明とされ、右側領域Ａ３にもともと表示されている内容も確認できるようになっていることが望ましい。また、操作ガイドＧ１の表示枠は矩形状となっており、上述したコマンドパネルの円形状の表示枠とは、形状が異なっている。このように、コマンドパネルの周辺枠と操作ガイドの周辺枠とでその形状を異ならせることで、ユーザはコマンドパネルが表示されているのか、操作ガイドが表示されているのかを直感的に把握できる。
【０１１０】
また、操作ガイドの説明文の内容は、その時点で可能な操作に応じて変更される。図１８は、曲名層の項目を指定する場合において、操作ガイドＧ２が表示された画面の例を示す図である。曲名層の項目を指定する場合には、押圧操作を行っても下位の階層へは移動しない。このため、この場合の操作ガイドＧ２においては、押圧操作に関して「確定／再生」と表示されている。ユーザは、この表示を視認することで、押圧操作を行えばカーソルＣで選択中の項目を確定してその項目の音声データを再生できることを容易に把握できる。このように、可能な操作に応じて内容を変更することで、操作が不慣れなユーザに対して適切な操作ガイドを提供できる。
【０１１１】
なお、このような操作ガイドは、操作に不慣れなユーザに対しては操作性を高くすることに貢献するのに対して、操作に慣れたユーザに対しては逆にわずらわしく感じることになる。操作に慣れたユーザはメインコントローラ５０に触れてからすぐに操作を行うのに対して、操作に不慣れなユーザはメインコントローラ５０に触れても操作方法がわからないために、すぐに操作できない場合が多い。このため、操作ガイドは、メインコントローラ５０へのユーザの接触を検知した状態で、所定時間以上にわたって操作が無い場合にのみ表示されるようになっている。
【０１１２】
図１９は、操作ガイドを表示するための処理の流れを示す図である。この処理は、階層構造の各階層で、表示制御部１１により実行されるものである。
【０１１３】
まず、制御部１の内部タイマが利用され、計時が開始される（ステップＳ２１）。その後、メインコントローラ５０へのユーザの接触が検出されるか（ステップＳ２２）、及び、メインコントローラ５０の操作が無い状態であるか（ステップＳ２３）がそれぞれ判断される。ユーザの接触は、メインコントローラ５０のタッチセンサ５４から入力される信号に基づいて判断される。ユーザの接触がない場合（ステップＳ２２でＮｏ）や、操作があった場合は（ステップＳ２３でＮｏ）、計時がリセットされる（ステップＳ２６）。
【０１１４】
一方、ユーザの接触を検知した状態、かつ、無操作の状態で所定時間（例えば１秒）が経過した場合は（ステップＳ２４にてＹｅｓ）、操作ガイドがディスプレイ３の画面に表示される（ステップＳ２５）。
【０１１５】
操作ガイドが表示されると、再び、ユーザの接触が検出されるか（ステップＳ２７）、及び、操作が無い状態であるか（ステップＳ２８）がそれぞれ判断される。ユーザの接触がない場合（ステップＳ２７でＮｏ）や、操作があった場合は（ステップＳ２８でＮｏ）、操作ガイドの表示が解除され（ステップＳ２９）、処理は再びステップＳ２２に戻ることになる。
【０１１６】
このように、ユーザの接触を検知し、かつ、メインコントローラ５０の操作が無い状態が所定時間以上継続した場合は、操作ガイドを表示する。このため、メインコントローラ５０の操作が不慣れなユーザに対して操作ガイドを表示できるため、ユーザは目的の操作を容易に把握でき、操作性を高くすることができる。一方で、ユーザの接触を検知してから所定時間が経過するまでは操作ガイドを表示しないため、メインコントローラ５０へ接触してからすぐに操作が可能な操作に慣れたユーザには操作ガイドが表示されない。このため、操作に慣れたユーザがわずらわしさを感じることが無い。
【０１１７】
＜３．ナビゲーションモード＞
次に、ナビゲーションモードについて説明する。ナビゲーションモードでは、図２０に示すように、ナビゲーション部２４の機能が利用され、ナビゲーション用の地図画像がディスプレイ３に表示される。地図画像の略左右中央には、自車の現在位置を示す自車位置マークｍが示される。また、ディスプレイ３の画面上部には、地図画像の縮尺を示すスケールＳが表示される。目的地が設定された場合は、自車の現在位置から目的地までのルートが地図画像に重畳して表示されることになる。
【０１１８】
このような地図画像の表示中においても、一つのメインコントローラ５０のみで多様な指示を行うことが可能である。このような指示も、指示受付部１２により受け付けられる。例えば、メインコントローラ５０の方向操作があった場合は、スクロール指示として受け付けられ、その方向操作の指示方向に応じて地図画像がスクロールされる。
【０１１９】
また、メインコントローラ５０の回転操作があった場合は、縮尺変更のユーザ指示として受け付けられる。具体的には、回転操作があると、図２１に示すように、ディスプレイ３の左下角に、扇状のコマンドパネルＤ４が表示される。このコマンドパネルＤ４は「縮尺変更パネル」とも呼ばれるものであり、項目を指定することで地図画像の縮尺を変更することができるようになっている。コマンドパネルＤ４では、「５０ｍ」「２００ｍ」「４００ｍ」「８００ｍ」「３ｋｍ」「５０ｋｍ」などのスケールＳに対応する数字が項目となっている。
【０１２０】
コマンドパネルＤ４においても、メインコントローラ５０の回転操作によってカーソルＣ４を移動でき、メインコントローラ５０の押圧操作によってカーソルＣ４によって選択中の項目を確定できる。この場合も、表示されていない項目は、メインコントローラ５０の回転操作によって表示させることができる。項目が確定されると、当該項目に対応する縮尺に切り替える旨のコマンドが指示受付部１２に受け付けられて、制御部１により実行される。
【０１２１】
また、メインコントローラ５０の押圧操作があった場合は、メニューの表示指示として受け付けられる。具体的には、押圧操作があると、図２２に示すように、ディスプレイ３の左側の領域に、コマンドパネルＤ５が表示される。この場合、ディスプレイ３の画面におけるコマンドパネルＤ５以外の領域に地図画像が表示されるが、地図画像が表示される領域の略左右中央に自車位置マークｍが示されるように地図画像の表示位置が調整される。したがって、自車位置マークｍの画面上における位置は、画面中央よりも右側となる。
【０１２２】
コマンドパネルＤ５は「メニューパネル」とも呼ばれるものであり、項目を指定することでナビゲーション機能に係る各種のコマンドを実行できるようになっている。具体的には、コマンドパネルＤ５のコマンドの項目としては、ルート案内を中止する「案内中止」、ルートを変更する「ルート」、地図画像の中央に位置する施設の情報を表示する「施設表示」、ルート設定のための目的地を検索する「検索メニュー」、ＶＩＣＳ情報を表示する「ＶＩＣＳ」などがある。
【０１２３】
コマンドパネルＤ５においても、メインコントローラ５０の回転操作によってカーソルＣ５を移動でき、メインコントローラ５０の押圧操作によってカーソルＣ５によって選択中の項目を確定できる。この場合も、表示されていない項目は、メインコントローラ５０の回転操作によって表示させることができる。項目が確定されると、当該項目に対応するコマンドが指示受付部１２に受け付けられて、制御部１により実行される。
【０１２４】
このように、ナビゲーションモードにおいても、一つのメインコントローラ５０のみで多様な指示を行うことが可能である。このため、ナビゲーションモードでも、操作に慣れないユーザのために、ナビゲーションモードで可能な操作を案内する操作ガイドがディスプレイ３に表示される。この操作ガイドも、ユーザの接触を検知し、かつ、メインコントローラ５０の操作が無い状態が、所定時間以上継続した場合に表示される。
【０１２５】
図２３は、ナビゲーションモードにおいて、操作ガイドＧ３が表示された画面の例を示す図である。操作ガイドＧ３においても、メインコントローラ５０の回転操作、押圧操作、及び、方向操作の４方向への操作のそれぞれの指示内容を説明する説明文が示されている。例えば、押圧操作に関しては「メニュー表示」と表示されており、ユーザは、この表示を視認することで、押圧操作を行えばメニューパネルを表示できることを容易に把握できることになる。
【０１２６】
なお、メインコントローラ５０の操作とユーザ指示との関係は上記で説明したものと異なるようにすることもできる。例えば、回転操作でナビゲーション機能の全般に係るコマンドの項目を表示し、押圧操作で地図画像の中央位置に係るコマンドの項目を表示させることが考えられる。ナビゲーション機能の全般に係るコマンドとは、例えば、ルート案内や、ＶＩＣＳ情報などに係るものである。一方、地図画像の中央位置に係るコマンドとは、施設情報の表示や、メモリ地点の登録などである。なお、この場合、縮尺の変更は、ナビゲーション機能の全般に係るコマンドの一つとすればよい。
【０１２７】
＜４．変形例＞
以上、本発明の実施の形態について説明してきたが、この発明は上記実施の形態に限定されるものではなく様々な変形が可能である。以下では、このような変形例について説明する。上記実施の形態で説明した形態及び以下で説明する形態を含む全ての形態は、適宜に組み合わせ可能である。
【０１２８】
例えば、上記実施の形態ではセンターコンソール９３に操作部５が設けられると説明したが、操作部５は、ユーザが操作しやすい任意の位置に配置してよい。例えば、図２４に示すように、ステアリングホイール９２に設けることが可能である。この図の例では、回転操作、押圧操作及び方向操作のすべてが可能な一つのメインコントローラ５０ａと、動作モードを切り替えるモード切替ボタン５９ａとの双方が、ステアリングホイール９２の左側に設けられている。なお、メインコントローラ５０ａをステアリングホイール９２の左側、モード切替ボタン５９を右側に配置するなどしてもよい。
【０１２９】
また、上記実施の形態では、本体部１０が、放送受信部２１、ディスク再生部２２、データ再生部２３及びナビゲーション部２４を備えるとしていたが、これらの一部または全部は本体部１０とは別体として構成され、オプション機能として提供されるようにしてもよい。
【０１３０】
また、上記実施の形態では、プログラムに従ったＣＰＵの演算処理によってソフトウェア的に各種の機能が実現されると説明したが、これら機能のうちの一部は電気的なハードウェア回路により実現されてもよい。
【符号の説明】
【０１３１】
３    ディスプレイ
５    操作部
１１    表示制御部
１２    指示受付部
５０    メインコントローラ
５９    モード切替ボタン
１００    車載表示システム
Ｄ１    コマンドパネル
Ｇ１    操作ガイド
【図１】
2011111061.tif 000003
【図２】
2011111061.tif 000004
【図３】
2011111061.tif 000005
【図４】
2011111061.tif 000006
【図５】
2011111061.tif 000007
【図６】
2011111061.tif 000008
【図７】
2011111061.tif 000009
【図８】
2011111061.tif 000010
【図９】
2011111061.tif 000011
【図１０】
2011111061.tif 000012
【図１１】
2011111061.tif 000013
【図１２】
2011111061.tif 000014
【図１３】
2011111061.tif 000015
【図１４】
2011111061.tif 000016
【図１５】
2011111061.tif 000017
【図１６】
2011111061.tif 000018
【図１７】
2011111061.tif 000019
【図１８】
2011111061.tif 000020
【図１９】
2011111061.tif 000021
【図２０】
2011111061.tif 000022
【図２１】
2011111061.tif 000023
【図２２】
2011111061.tif 000024
【図２３】
2011111061.tif 000025
【図２４】
2011111061.tif 000026